(57)【要約】      （修正有）【課題】通常時は、ＩＣタグシールを外的な衝撃等から適切に保護し、不正行為があった時は、制御基板の改竄等を容易かつ的確に把握する。【解決手段】主制御基板ケース３は、互いに分離可能な前面ケース３０および後面ケース３１と、それぞれのＩＣタグシール貼付部間を跨ぐように貼り付けたＩＣタグシールと、ＩＣタグシール貼付部の係止位置に形成した第１係合凹部に係合爪部を係止し、ＩＣタグシール貼付部を包囲する保護ケース４と、保護ケース４が取り外された際のＩＣタグシール切断手段とを備え、保護ケース４を取り外すためにＩＣタグシール貼付部の係止位置に対して保護ケース４が押し込まれた際にＩＣタグシールの少なくとも一部が切断され、ＩＣタグシール貼付部の第１係合凹部に係合した保護ケース４の係合爪部が、係止位置から押し込まれると、保護ケース４の取り外しが可能になる第２係合凹部３２２ａ，３２２ｂに移動するように構成する。【選択図】図１
2010284443.tif 000002
【特許請求の範囲】
【請求項１】
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール切断手段が、前記保護ケースを取り外すために前記ＩＣタグシール貼付部の前記係止位置に対して前記保護ケースが押し込まれた際に前記ＩＣタグシールの少なくとも一部を切断するように構成されている
ことを特徴とする制御基板ケース。
【請求項２】
請求項１において、
前記ＩＣタグシール切断手段が、前記ＩＣタグシールの少なくとも２箇所を切断する
ことを特徴とする制御基板ケース。
【請求項３】
請求項１または請求項２において、
前記ＩＣタグシール貼付部の前記係止位置に形成された係止穴に係合されている前記保護ケースの前記係止部が、前記係止位置から押し込まれると前記保護ケースの取り外しが可能になる取り外し位置に移動するように構成されている
ことを特徴とする制御基板ケース。
【請求項４】
請求項１または請求項２において、
前記保護ケースが、固定部に対して可動自在に支持され押し込み可能な可動部と、当該可動部が押し込まれることにより前記保護ケースの係止部と前記ＩＣタグシール貼付部の被係止部との係止状態を解除する係止解除機構とを備え、
前記ＩＣタグシール切断手段が、前記可動部の内面に前記ＩＣタグシール貼付部の先端部に対向して配設されている
ことを特徴とする制御基板ケース。
【請求項５】
請求項１または請求項２において、
前記保護ケースが、当該保護ケースの係止部が凸状態の時に前記ＩＣタグシール貼付部の被係止部に係止され、一方前記保護ケースが前記係止位置から押し込まれることにより前記保護ケースの係止部が反転して凹状態となり前記ＩＣタグシール貼付部の被係止部との係止が解除される係止解除機構を備え、
前記ＩＣタグシール切断手段が、前記保護ケースの内面に前記ＩＣタグシール貼付部の先端部に対向して配設されている
ことを特徴とする制御基板ケース。
【請求項６】
請求項１ないし請求項５のいずれかにおいて、
前記ＩＣタグシール貼付部が、前記ＩＣタグシール切断手段に対応する部位に、前記ＩＣタグシール切断手段の侵入を許容するための凹部を備えている
ことを特徴とする制御基板ケース。
【請求項７】
請求項１ないし請求項６のいずれかにおいて、
前記保護ケースの前記係止部が、遮蔽部によって遮蔽されている
ことを特徴とする制御基板ケース。
【請求項８】
請求項１ないし請求項７のいずれかにおいて、
前記保護ケースが、透光性材料によって構成されている
ことを特徴とする制御基板ケース。
【請求項９】
請求項１ないし請求項７のいずれかにおいて、
前記保護ケースが、非透光性材料によって構成されている
ことを特徴とする制御基板ケース。
【発明の詳細な説明】
【技術分野】
【０００１】
本発明は、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置に対して前記保護ケースが押し込まれた際に前記ＩＣタグシールの少なくとも一部を切断するように構成される制御基板ケースに関するものである。
【背景技術】
【０００２】
図３０は、従来の第１の制御基板ケースの概要を示す説明図である。また、図３１は、従来の第２の制御基板ケースの概要を示す説明図である。
【０００３】
従来の第１の制御基板ケースは、図３０に示すように、内側にゲームをコントロールする制御基板Ｂが収容される基板収容ケースＣが配設され、この基板収容ケースＣのケース本体ＣＢとケース蓋ＣＣの境目にはケース本体ＣＢとケース蓋ＣＣに跨ってＩＣチップ封印シールＳが接着され、ＩＣチップ封印シールＳのデータはＩＣ読取チェッカーＲによって読み取られるようになっていた。  
さらに、深夜等にパチンコ店に忍び込んで前記基板収容ケースＣに収容されている制御基板Ｂを改竄しようとして無理に基板収容ケースＣのケース蓋ＣＣを開けようとしたり、前記ＩＣチップ封印シールＳを剥がそうとしてＩＣチップ封印シールＳに不当な力が加わると、内蔵されているＩＣチップが破損するように構成されていた。
【０００４】
上記構成より成る従来の第１の制御基板ケースは、不正行為者が、制御基板を改竄しようとして基板収容ケースを不当に細工したりすると、前記ＩＣチップが破損するため、前記ＩＣ読取チェッカーでの読み取りができなくなり、このことをもって制御基板の改竄事実の有無をチェックするものであった。
【０００５】
また従来の第２の制御基板ケースは、図３１に示すように、主基板Ｂが、ボックスベースＢＢ及びボックスカバーＢＣから構成される基板ボックスに収容され、ボックスベースＢＢ及びボックスカバーＢＣにはそれぞれ貼付部ＳＢ１，ＳＢ２が形成され、両貼付部ＳＢ１，ＳＢ２を跨ぐように封印シールＳが貼り付けられるものであった。さらに、封印シールＳには、アンテナ部の長手方向に沿って等間隔で並ぶ多数のアンテナ用切り込みが形成されるものであった。
【０００６】
上記構成より成る従来の第２の制御基板ケースは、前記封印シールＳを剥がす力に伴う応力が、アンテナ部の周囲に位置するアンテナ用切り込みの端部に集中することで、アンテナ用切り込みを介して当該アンテナ部が破壊され、それに伴ってアンテナ部が分断されるため、前記従来の第１の制御基板ケース同様、不正行為者が、制御基板を改竄しようとして基板収容ケースや封印シールにアクセスした際に、当該封印シールを破損させ、スキャナーでの読み取りができなくなることをもって、制御基板の改竄事実の有無をチェックするものであった。
【先行技術文献】
【特許文献】
【０００７】
【特許文献１】特開２００５−２１３１４号公報
【特許文献２】特開２００６−３０５３１９号公報
【発明の概要】
【発明が解決しようとする課題】
【０００８】
しかしながら、上記従来の第１の制御基板ケースおよび従来の第２の制御基板ケースのように、ＩＣタグシール自体に予め切断個所を設けたり、ＩＣタグシール自体の強度を予め低いものに設定して、不正行為者がＩＣタグシールにアクセスした際に、簡単にＩＣタグシールが破断等するように構成した場合には、そもそもＩＣタグシール貼り付け時に当該ＩＣタグシールが破断してしまい、不正行為が行われる前にＩＣタグシールの機能が失われ、不正行為の事実の有無を検知するという目的を果たすことができなくなるという問題があった。これは、上記従来の第２の制御基板ケースのように両貼付部を跨るようにＩＣタグシールを折り曲げて貼り付ける場合には、ＩＣタグシールに負荷がかかるため特に顕著な問題となる。
【０００９】
また、仮に破断せずにＩＣタグシールを貼り付けることができたとしても、当該ＩＣタグシールが、制御基板ケースに剥き出しの状態で貼り付けられているため、制御基板ケースを遊技機に搭載する時や、何らかの点検等を行う際の接触などによって、前記ＩＣタグシールが簡単に破断してしまうとゆう問題があった。
【００１０】
これは、発明の究極の目的が、ＩＣタグシールが破断したこと自体を検知することではなく、不正行為者の不正な行為によってＩＣタグシールが破断されたことを検知することであることを考えると、本末転倒な結果となる。
【００１１】
また、制御基板ケースへの不正開放または不正操作によって破断した前記ＩＣタグシールの１箇所を丁寧に調整することによりＩＣチップ部またはおよび送受信アンテナ部が修復された場合に、前記制御基板ケースへの不正開放または不正操作をリーダーによって検知出来ないという問題もあった。
【００１２】
そこで本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置に対して前記保護ケースが押し込まれた際に前記ＩＣタグシールの少なくとも一部を切断するように構成するという本発明の技術的思想に着眼して、さらに研究開発を重ねた結果、通常時には、ＩＣタグシールを外的な衝撃等から適切に保護するとともに、不正行為が行われた時には、制御基板の改竄等の不正行為を容易かつ的確に把握するという目的を達成する本発明に到達した。
【００１３】
また本発明者らは、内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置に対して前記保護ケースが押し込まれた際に前記ＩＣタグシールの少なくとも２箇所を切断するように構成するという本発明の技術的思想に着眼して、さらに研究開発を重ねた結果、ＩＣタグシール切断後に切断面を綺麗に元に戻された場合でも、ＩＣタグシールの切断事実の有無を確実に検知し、制御基板に対する不正行為が行われた可能性があることを的確に把握するという目的を達成する本発明に到達した。
【課題を解決するための手段】
【００１４】
本発明（請求項１に記載の第１発明）の制御基板ケースは、
内部に制御基板が格納される制御基板ケースであって、
ＩＣタグシール貼付部がそれぞれに形成され、互いに分離可能な複数のケース体と、
前記ＩＣタグシール貼付部間を跨ぐように張り付けられ、ＩＣチップとアンテナとを備えるＩＣタグシールと、
前記ＩＣタグシール貼付部の係止位置に形成された被係止部に係止部が係止され、当該ＩＣタグシール貼付部を包囲して前記ＩＣタグシールを保護する保護ケースと、
前記保護ケース内の一部に配設され、前記保護ケースを取り外す際に前記ＩＣタグシールを切断するＩＣタグシール切断手段とを備え、
前記ＩＣタグシール切断手段が、前記保護ケースを取り外すために前記ＩＣタグシール貼付部の前記係止位置に対して前記保護ケースが押し込まれた際に前記ＩＣタグシールの少なくとも一部を切断するように構成されている
ものである。
【００１５】
本発明（請求項２に記載の第２発明）の制御基板ケースは、
前記第１発明において
前記ＩＣタグシール切断手段が、前記ＩＣタグシールの少なくとも２箇所を切断する
ものである。
【００１６】
本発明（請求項３に記載の第３発明）の制御基板ケースは、
前記第１発明または第２発明において、
前記ＩＣタグシール貼付部の前記係止位置に形成された係止穴に係合されている前記保護ケースの前記係止部が、前記係止位置から押し込まれると前記保護ケースの取り外しが可能になる取り外し位置に移動するように構成されている
ものである。
【００１７】
本発明（請求項４に記載の第４発明）の制御基板ケースは、
前記第１発明または前記第２発明において、
前記保護ケースが、固定部に対して可動自在に支持され押し込み可能な可動部と、当該可動部が押し込まれることにより前記保護ケースの係止部と前記ＩＣタグシール貼付部の被係止部との係止状態を解除する係止解除機構とを備え、
前記ＩＣタグシール切断手段が、前記可動部の内面に前記ＩＣタグシール貼付部の先端部に対向して配設されている
ものである。
【００１８】
本発明（請求項５に記載の第５発明）の制御基板ケースは、
前記第１発明または前記第２発明において、
前記保護ケースが、当該保護ケースの係止部が凸状態の時に前記ＩＣタグシール貼付部の被係止部に係止され、一方前記保護ケースが前記係止位置から押し込まれることにより前記保護ケースの係止部が反転して凹状態となり前記ＩＣタグシール貼付部の被係止部との係止が解除される係止解除機構を備え、
前記ＩＣタグシール切断手段が、前記保護ケースの内面に前記ＩＣタグシール貼付部の先端部に対向して配設されている
ものである。
【００１９】
本発明（請求項６に記載の第６発明）の制御基板ケースは、
前記第１発明ないし前記第５発明のいずれかにおいて、
前記ＩＣタグシール貼付部が、前記ＩＣタグシール切断手段に対応する部位に、前記ＩＣタグシール切断手段の侵入を許容するための凹部を備えている
ものである。
【００２０】
本発明（請求項７に記載の第７発明）の制御基板ケースは、
前記第１発明ないし前記第６発明のいずれかにおいて、
前記保護ケースの前記係止部が、遮蔽部によって遮蔽されている
ものである。
【００２１】
本発明（請求項８に記載の第８発明）の制御基板ケースは、
前記第１発明ないし前記第７発明のいずれかにおいて、
前記保護ケースが、透光性材料によって構成されている
ものである。
【００２２】
本発明（請求項９に記載の第９発明）の制御基板ケースは、
前記第１発明ないし前記第７発明のいずれかにおいて、
前記保護ケースが、非透光性材料によって構成されている
ものである。
【発明の効果】
【００２３】
上記構成より成る第１発明の制御基板ケースは、不正行為者が、前記ＩＣタグシール貼付部の係止位置に形成された被係止部に係止部が係止され、当該ＩＣタグシール貼付部を包囲して前記ＩＣタグシールを保護する前記保護ケースを取り外すために、互いに分離可能な複数のケース体にそれぞれに形成され、ＩＣタグシールが跨ぐように貼り付けられた前記ＩＣタグシール貼付部の前記係止位置に対して前記保護ケースを押し込んだ際に、前記保護ケース内の一部に配設された前記ＩＣタグシール切断手段が前記ＩＣタグシールの少なくとも一部を切断するので、通常時には、ＩＣタグシールを外部との接触およびアクセスから保護するとともに、前記保護ケースが押し込まれたときには、不正行為が行われた可能性があることを的確に把握できるという効果を奏する。
【００２４】
上記構成より成る第２発明の制御基板ケースは、前記第１発明において、不正行為者が保護ケースを押し込んだ際に、前記ＩＣタグシール切断手段によって前記ＩＣタグシールの少なくとも２箇所が切断されるので、ＩＣタグシール切断後に切断面を綺麗に元に戻された場合でも、ＩＣタグシールの切断事実の有無を確実に検知し、制御基板に対する不正行為が行われた可能性があることを的確に把握できるという効果を奏する。
【００２５】
上記構成より成る第３発明の制御基板ケースは、前記第１発明または前記第２発明において、不正行為者によって保護ケースが押し込まれると、前記ＩＣタグシール貼付部の前記係止位置に形成された係止穴に係合されている前記保護ケースの前記係止部が、前記係止位置から前記保護ケースの取り外しが可能になる取り外し位置に移動して、この際ＩＣタグシール切断手段がＩＣタグシールを切断するので、簡素な構成で、通常時にはＩＣタグシールを外部との接触およびアクセスから適切に保護するとともに、前記保護ケースが取り外し位置まで押し込まれて取り出され、前記複数のケース体が分離され、前記制御基板に対して不正行為が行われた可能性があることを的確に把握できるという効果を奏する。
【００２６】
上記構成より成る第４発明の制御基板ケースは、前記第１発明または前記第２発明において、不正行為者によって固定部に対して可動自在に支持され押し込み可能な可動部が押し込まれると、それに連動して前記係止解除機構が、前記保護ケースの係止部と前記ＩＣタグシール貼付部の被係止部との係止状態を解除して、この際可動部の内面に前記ＩＣタグシール貼付部の先端部に対向して配設されたＩＣタグシール切断手段がＩＣタグシールを切断するので、ＲＯＭの交換などの制御基板に対する不正をする目的で、制御基板ケースを開放しようとして保護ケースを取り外す行為を確実に検知するという効果を奏する。
【００２７】
上記構成より成る第５発明の制御基板ケースは、前記第１発明または前記第２発明において、不正行為者によって保護ケースが押し込まれると、前記係止解除機構が、当該保護ケースの係止部を前記ＩＣタグシール貼付部の被係止部に係止される凸状態から、前記ＩＣタグシール貼付部の被係止部との係止が解除される凹状態へと反転させ、この際前記保護ケースの内面に前記ＩＣタグシール貼付部の先端部に対向して配設された前記ＩＣタグシール切断手段によってＩＣタグシールが切断されるので、前記保護ケースを一旦取り付けた後は、当該保護ケースによってＩＣタグシールを適切に保護するとともに、不正行為者が制御基板にアクセスする際に前提となる前記保護ケースの前記係止部の凹状態によって前記保護ケースを取り外す行為を確実に検知するという効果を奏する。
【００２８】
上記構成より成る第６発明の制御基板ケースは、前記第１発明ないし前記第５発明のいずれかにおいて、前記ＩＣタグシール切断手段が、前記ＩＣタグシール貼付部の前記ＩＣタグシール切断手段に対応する部位に配設された凹部に侵入するので、ＩＣタグシール切断手段によるＩＣタグシールの切断をより確実に実現できるという効果を奏する。
【００２９】
上記構成より成る第７発明の制御基板ケースは、前記第１発明ないし前記第６発明のいずれかにおいて、前記遮蔽部が前記保護ケースの前記係止部を遮蔽するので、前記保護ケースの前記係止部への外部からのアクセスを阻止するという効果を奏する。
【００３０】
上記構成より成る第８発明の制御基板ケースは、前記第１発明ないし前記第７発明のいずれかにおいて、前記保護ケースが、透光性材料によって構成されているので、保護ケース内部の前記ＩＣタグシール貼付部の状態を外部から把握できるようにすることで、不正行為に対する抑止力を働かせ、不正行為を未然に防止するという効果を奏する。
【００３１】
上記構成より成る第９発明の制御基板ケースは、前記第１発明ないし前記第７発明のいずれかにおいて、前記保護ケースが、非透光性材料によって構成されているので、保護ケース内部の前記ＩＣタグシール貼付部の状態を外部から把握できないようにするという効果を奏する。
【図面の簡単な説明】
【００３２】
【図１】本発明の第１実施例の制御基板ケースにおける保護ケースをＩＣタグシール貼付部に装着した状態を示す斜視図である。
【図２】本第１実施例のパチンコ遊技機を前方から見た説明図である。
【図３】本第１実施例のパチンコ遊技機を後方から見た説明図である。
【図４】本第１実施例の主制御基板ケースを示す分解斜視図である。
【図５】本第１実施例におけるＩＣタグシール貼付部の構成を示す斜視図である。
【図６】図５中のＡ−Ａ線に沿って切断した断面を示す断面図である。
【図７】本発明の実施例において用いるＩＣタグシールの構成を示した説明図である。
【図８】本第１実施例のＩＣタグシール貼付部にＩＣタグシールを貼り付けた状態を示す斜視図である。
【図９】本第１実施例の保護ケースの構成を示す斜視図である。
【図１０】図９中のＡ−Ａ線に沿って切断した断面を示す断面図である。
【図１１】本第１実施例における保護ケースの装着および取り外しの状態を示す説明図である。
【図１２】本第１実施例における保護ケースの取り外しの状態を示す斜視図である。
【図１３】本第２実施例におけるＩＣタグシール貼付部の構成を示す斜視図である。
【図１４】本第２実施例のＩＣタグシール貼付部にＩＣタグシールを貼り付けた状態を示す斜視図である。
【図１５】本第２実施例における保護ケースをＩＣタグシール貼付部に装着した状態を示す斜視図である。
【図１６】本第２実施例の保護ケースの構成を詳細に示す分解斜視図である。
【図１７】本第２実施例における保護ケースをＩＣタグシール貼付部に装着した状態の断面を示す断面図である。
【図１８】本第２実施例における保護ケースをＩＣタグシール貼付部に装着する過程を示す説明図である。
【図１９】本第２実施例における保護ケースをＩＣタグシール貼付部から取り外す過程を示した説明図である。
【図２０】本第２実施例におけるＩＣタグシールの切断箇所を示す説明図である。
【図２１】本発明の第３実施例における保護ケースをＩＣタグシール貼付部に装着した状態を示す斜視図である。
【図２２】図２１中のＡ−Ａ線に沿って切断した断面を示す断面図である。
【図２３】本第３実施例における保護ケースをＩＣタグシール貼付部に装着する過程を示す説明図である。
【図２４】本第３実施例における保護ケースをＩＣタグシール貼付部から取り外す過程を示した説明図である。
【図２５】本発明の第４実施例における保護ケースをＩＣタグシール貼付部に装着した状態を示す斜視図である。
【図２６】図２５中のＡ−Ａ線に沿って切断した断面を示す断面図である。
【図２７】本第４実施例における保護ケースをＩＣタグシール貼付部に装着する過程を示す説明図である。
【図２８】本第４実施例における保護ケースをＩＣタグシール貼付部から取り外す過程を示した説明図である。
【図２９】本発明の変形例における把持機構の構成を示す断面図である。
【図３０】従来の第１の制御基板ケースの構成を示す説明図である。
【図３１】従来の第２の制御基板ケースの構成を示す説明図である。
【発明を実施するための形態】
【００３３】
以下、本発明の最良の実施形態について、実施例に基づき図面を用いて説明する。
【実施例１】
【００３４】
本第１実施例の制御基板ケースは、図１ないし図１３に示すように、内部に主制御基板５が格納される主制御基板ケース３であって、ＩＣタグシール貼付部３０２，３１２がそれぞれに形成され、互いに分離可能な前面ケース３０および後面ケース３１と、前記ＩＣタグシール貼付部３０２，３１２間を跨ぐように張り付けられ、ＩＣチップ６３とアンテナ部６２とを備えるＩＣタグシール６と、前記ＩＣタグシール貼付部３０２，３１２の係止位置に形成された第１の係合凹部３２１ａ，３２１ｂに係合爪部４２２ａ，４２２ｂが係止され、前記ＩＣタグシール貼付部３０２，３１２を包囲して前記ＩＣタグシール６を保護する保護ケース４と、前記保護ケース４内の一部に配設され、前記保護ケース４が取り外された際に前記ＩＣタグシール６を切断するＩＣタグシール切断手段７とを備え、前記ＩＣタグシール切断手段７が、前記保護ケース４を取り外すために前記ＩＣタグシール貼付部３０２，３１２の前記係止位置に対して前記保護ケース４が押し込まれた際に前記ＩＣタグシール６の少なくとも一部を切断するように構成され、前記ＩＣタグシール貼付部３０２，３１２の前記係止位置に形成された前記第１の係合凹部３２１ａ，３２１ｂに係合されている前記保護ケース４の前記係合爪部４２２ａ，４２２ｂが、前記係止位置から押し込まれると前記保護ケース４の取り外しが可能になる取り外し位置としての第２の係合凹部３２２ａ，３２２ｂに移動するように構成されるものである。
【００３５】
パチンコ遊技機１は、図２に示すように、前面枠１０を備え、前面枠１０には、遊技者が操作ハンドル１１を操作することによって発射された遊技球が流下する遊技領域１２を備える。当該遊技領域１２の中央部には、様々な図柄等が変動表示される図示しない図柄変動表示装置が配設され、その下部には、図示しない始動入賞口が配設されている。当該始動入賞口に遊技球が入賞することを契機として遊技制御基板による大当たり抽選が行われる。前記始動入賞口の下部には、アタッカーが配設され、当該アタッカーは、大当たり発生時に所定回数だけ開放状態となり多数の遊技球が入賞するように構成されている。
【００３６】
図３は、本第１実施例の主制御基板が適用されるパチンコ遊技盤の背面図である。
盤裏１３には、盤裏カバー２がヒンジ部２０ａ，２０ｂによって揺動自在に支持され、主制御基板ケース３が、前記盤裏カバー２とその一部が前後に重なり合うように、ヒンジ部３１ａおよび３１ｂによって揺動自在に配設されている。これは、前後に重なり合う部材が存在する場合において、隠れた部位を容易に確認できるようにするための工夫である。
【００３７】
図４は、本第１実施例のパチンコ遊技機１における主制御基板ケース３の構成を示す分解斜視図である。
当該主制御基板ケース３は、図３中手前に位置する前面ケース３０と、図３中後方に位置する後面ケース３１とからなり、主制御基板５が、当該前面ケース３０と後面ケース３１との間に介装される。前記前面ケース３０および前記後面ケース３１は、ともに透光性材料によって構成され、外部から内部に格納された主制御基板５を視認できるようになっている。当該主制御基板５には、図示しないＣＰＵ、ＲＯＭおよびＲＡＭが実装されている。また、前記前面ケース３０と後面ケース３１とは、前面ケース３０に配設されたカシメピン３０１ａ，３０１ｂを後面ケースのカシメ受け３１１ａ，３１１ｂにかしめるとともに、ＩＣタグシール貼付部３０２，３１２において、ネジ３０５をネジ穴３１５に螺合することによって固定するものである。
【００３８】
図５は、前面ケース３０および後面ケース３１に各々突設された前記ＩＣタグシール貼付部３０２，３１２を詳細に説明する斜視図である。
前記前面ケース３０の前記ＩＣタグシール貼付部３０２は、前記前面ケース３０の図５中左側面たる前面ケース側面３０３の一部に突設され、その先端面３０２ｅおよび側面３０２ｆには、後述するＩＣタグシール切断手段７の刃部７０の押し込み方向の侵入および上方向への離脱を許容する切断手段用凹部３０４が形成されている。
【００３９】
同様に前記後面ケース３１の前記ＩＣタグシール貼付部３１２は、前記後面ケース３１の左側面たる後面ケース側面３１３の一部に突設され、前記前面ケース３０のＩＣタグシール貼付部３０２と向かい合うように形成されている。なお当該ＩＣタグシール貼付部３１２には、前面ケース３０の前記ＩＣタグシール貼付部３０２とは異なり切断手段用凹部は形成されていない。
【００４０】
また図５中Ａ−Ａ線に沿って切断した断面図である図６に示すように、前記ＩＣタグシール貼付部３０２，３１２の幅方向の面積の小さな両側面には、後述する保護ケース４の係合爪部４２２ａ，４２２ｂをガイドする深さの異なる保護ケースの押し込み方向に延在する係合部用ガイド溝３２３ａ,３２３ｂ，３２３ａａ，３２３ｂｂと、前記係合爪部４２２ａ，４２２ｂを係止する第１の係合凹部３２１ａ，３２１ｂと、前記保護ケース４を取り外す際に前記係合爪部４２２ａ，４２２ｂを移動させる、図５中上端が開放された第２の係合凹部３２２ａ，３２２ｂとが形成されている。
【００４１】
次に、ＩＣタグシール６の具体的構成について図７を用いて説明する。
【００４２】
図７（Ａ）は、前記ＩＣタグシール６の表面を示す説明図、図７（Ｂ）は、前記ＩＣタグシール６の裏面を示す説明図、図７（Ｃ）は、図７（Ｂ）中のＡ−Ａ線に沿って切断した断面を示す断面図である。
【００４３】
図７（Ｃ）に示すように、前記ＩＣタグシール６は、ベースシートたる表面６０を備え、当該表面６０の背面には粘着材が塗布され粘着層６５が形成されている。また、ＩＣチップ６３とその両端部に延在するアンテナ部６２とからなる長尺矩形形状のインレットが、前記粘着層６５の対角線上の一部に位置するように配設されている。さらに、ＩＣタグシール６をＩＣタグシール貼付部３０２，３１２に貼り付けるまで、前記粘着層６５と他の物との粘着を防止する剥離紙６４を貼り付けておく。
【００４４】
前記インレットは、図７（Ｂ）に示すように、ＩＣチップ６３とアンテナ部６２より構成され、長尺状のアンテナ部６２の中央付近にＩＣチップ６３が配置されており、当該ＩＣチップ６３は、固有の識別番号、すなわちＩＤ等の各種情報を記憶・格納するためのメモリーを備える。
【００４５】
本第１実施例のパチンコ遊技機１で用いるＩＣタグシール６は、周波数帯域２．４５ＧＨｚのパッシブ型の無線ＩＣタグを採用しており、リーダー・ライター側のアンテナからＩＣタグシール６に向けて電波としてエネルギーとコマンドを送信すると、当該ＩＣタグシール６の中のアンテナ部６２で電波を受け、この電波を前記ＩＣチップ６３内の図示しない整流回路に送る。ＩＣチップ６３は、当該整流回路において電波の高周波エネルギーを整流して直流に変換し、その電流をエネルギーとして使用するものである。
【００４６】
前記リーダー・ライター側からのコマンドが読み出し命令であれば、前記ＩＣチップ６３は、内蔵された前記メモリーからＩＤ情報等の各種データを読み出し、ＩＣタグシールのアンテナ部６２からリーダー・ライター側のアンテナに向けて電波を送信し、リーダー・ライター側との通信を行うものである。
【００４７】
上述したように、前記ＩＣタグシール６が保有する各種情報は、ＩＣチップ６３のメモリーに格納された情報をリーダー・ライターとの無線通信において確認する方法が採られるが、人間の目視による確認も可能にするため、必要に応じて、図７（Ａ）に示すようにＩＣタグシール６の表面６０の一部に各種の情報を記載する情報記載部６６を設ける。
【００４８】
前記ＩＣタグシール６は、図８に示すように、前記前面ケース３０のＩＣタグシール貼付部３０２と前記後面ケース３１のＩＣタグシール貼付部３１２とに跨るように貼り付けられる。すなわち、ＩＣタグシール６の短辺の断面が、略コの字状になるようにＩＣタグシール貼付部３０２，３１２に貼り付けられるものである。また、ＩＣタグシール貼付部３０２に凹設された前記切断手段用凹部３０４は、貼り付けられたＩＣタグシール６によって全体が隠れるようになっている。さらに、ＩＣタグシール６の中央部に配設された前記ＩＣチップ６３が前記切断手段用凹部３０４の後述するＩＣタグシール切断手段７の刃部７０が最初に侵入する位置に配置されるように、ＩＣタグシール６を貼り付けるものである。
【００４９】
次に、本第１実施例の保護ケース４の具体的構成について図９および図１０を用いて説明する。
【００５０】
図９は、保護ケース４の開放面を上にして保護ケース４の構造を説明した斜視図であり、図１０は、図９中のＡ−Ａ線に沿った切断した断面を示す断面図である。
【００５１】
図９に示すように、前記保護ケース４は、透光性材料によって構成される右側面４０ａ、左側面４０ｂおよび先端面４０ｃによって構成され、図９中上部の面は開放されている。前記右側面４０ａおよび左側面４０ｂには、それぞれ切り欠きを入れて外方へ拡開可能な拡開片４２１ａ，４２１ｂが形成されている。
【００５２】
図１０に示すように、前記拡開片４２１ａ，４２１ｂの先端部には、前記ＩＣタグシール貼付部３０２，３１２に凹設された前記第１の係合凹部３２１ａ，３２１ｂと係合するための係合爪部４２２ａ，４２２ｂが形成され、当該係合爪部４２２ａ，４２２ｂはテーパー４２２０ａ，４２２０ｂを備える。また、保護ケース４の前記先端面４０ｃの内面４００ｃには、前記ＩＣタグシール６を切断するためのＩＣタグシール切断手段７を構成する長尺矩形形状の刃部７０が配設され、前記先端面４０ｃの内面４００ｃの長手方向に延在するように突出形成されている。
【００５３】
以下上記構成より成る本第１実施例の制御基板ケースの作用および効果について説明する。
【００５４】
上記構成より成る本第１実施例のパチンコ遊技機において、前記保護ケース４を前記ＩＣタグシール貼付部３０２，３１２に装着するために押し込まれると、図１１（Ａ）ないし（Ｃ）に示すように、保護ケース４の係合爪部４２２ａ，４２２ｂの前記テーパー４２２０ａ，４２２０ｂと前記ＩＣタグシール貼付部３０２，３１２の両側面に形成された前記係合部用ガイド溝３２３ａ，３２３ｂとが接触し、前記拡開片４２１ａ，４２１ｂが外方へ拡開する。これにより保護ケース４をＩＣタグシール貼付部３０２，３１２に対してさらに押し込むことが可能となり、拡開片４２１ａ，４２１ｂの前記係合爪部４２２ａ，４２２ｂが、ＩＣタグシール貼付部３０２，３１２の前記第１の係合凹部３２１ａ，３２１ｂに到達するまで前記ガイド溝３２３ａ，３２３ｂに沿って保護ケース４が押し込まれる方向に移動する。拡開片４２１ａ、４２２ｂの前記係合爪部４２２ａ，４２２ｂが、前記第１の係合凹部３２１ａ，３２１ｂに到達すると、当該第１の係合凹部３２１ａ，３２１ｂ内に侵入して当該拡開片４２１ａ，４２１ｂの拡開状態が自然状態に復帰して係合状態となり、保護ケース４がＩＣタグシール貼付部３０２，３１２に対して装着され、手前に引っ張っても取り外すことができない状態になる。
【００５５】
次に、保護ケース４が取り外される際の動作について、図１１（Ｄ）、（Ｅ）および図１２を用いて説明する。
図１１（Ｃ）に示す保護ケース４の装着状態から、図１１（Ｄ）に示すように
さらに保護ケース４が押し込まれると、再度前記拡開片４２１ａ，４２１ｂの係合爪部４２２ａ，４２２ｂに設けられた前記テーパー４２２０ａ，４２２０ｂと前記ＩＣタグシール貼付部３０２，３１２の両側面に形成され、前記ガイド溝３２３ａ，３２３ｂに比べ深さが深い前記係合部用ガイド溝３２３ａａ，３２３ｂｂとが接触し、前記拡開片４２１ａ，４２１ｂが外方へ拡開する。これにより拡開片４２１ａ，４２１ｂの前記係合爪部４２２ａ，４２２ｂがＩＣタグシール貼付部３０２，３１２の前記第２の係合凹部３２２ａ，３２２ｂに到達するまで保護ケース４がさらに押し込まれることが可能となる。拡開片４２１ａ、４２２ｂの前記係合爪部４２２ａ，４２２ｂが前記第２の係合凹部３２２ａ，３２２ｂに到達すると、当該第２の係合凹部３２２ａ，３２２ｂ内に侵入して当該拡開片４２１ａ，４２１ｂの拡開状態が再度自然状態へと復帰して係合状態となる。
【００５６】
しかし上述したように、前記第２の係合凹部３２２ａ，３２２ｂは、図１２中上方に向かって端部が開放された上下方向に延在するスライド溝によって形成されているとともに、保護ケース４の図１２中下方の面が開放面となっているため、図１２中の矢印に示すように、前記第２の係合凹部３２２ａ，３２２ｂのスライド溝に沿って上方に向かって保護ケース４の取り外しが可能となる。
【００５７】
なお、前記第１の係合凹部３２１ａ，３２１ｂから前記第２の係合凹部３２２ａ，３２２ｂに移動する際に、保護ケース４の先端面４０ｃの内面４００ｃに形成された前記ＩＣタグシール切断手段７を構成する刃部７０が前記ＩＣタグシール６のＩＣチップ６３を切断する。この際、ＩＣタグシール貼付部３０２には前記切断手段用凹部３０４が形成されているため、ＩＣタグシール６を切断および貫通した前記刃部７０が、保護ケース４の押し込み動作に伴い当該切断手段用凹部３０４に侵入するようになっている。そして、保護ケース４が、前記第２の係合凹部３２２ａ，３２２ｂのスライド溝に沿って上方に向かって取り外されると、前記刃部７０が、ＩＣタグシール貼付部３０２の前記側面３０２ｆ上に貼られているＩＣタグシール６のその他の部分を剥ぎ取るように切断するものである。
【００５８】
上記作用を奏する本第１実施例の制御基板ケースは、内部に主制御基板５が格納される主制御基板ケース３であって、ＩＣタグシール貼付部３０２，３１２がそれぞれに形成され、互いに分離可能な前面ケース３０と後面ケース３１と、前記ＩＣタグシール貼付部３０２，３１２間を跨ぐように張り付けられ、ＩＣチップ６３とアンテナ部６２とを備えるＩＣタグシール６と、前記ＩＣタグシール貼付部３０２，３１２の係止位置に形成された第１の係合凹部３２１ａ，３２１ｂに係合爪部４２２ａ，４２２ｂが係止され、前記ＩＣタグシール貼付部３０２，３１２を包囲して前記ＩＣタグシール６を保護する保護ケース４と、前記保護ケース４内の一部に配設され、前記保護ケース４を取り外した際に前記ＩＣタグシール６を切断するＩＣタグシール切断手段７とを備え、前記ＩＣタグシール切断手段７が、前記保護ケース４を取り外すために前記ＩＣタグシール貼付部３０２，３１２の前記係止位置に対して前記保護ケース４を押し込んだ際に前記ＩＣタグシール６の少なくとも一部を切断するように構成され、前記ＩＣタグシール貼付部３０２，３１２の前記係止位置に形成された前記第１の係合凹部３２１ａ，３２１ｂに係合されている前記保護ケース４の前記係合爪部４２２ａ，４２２ｂが、前記係止位置から押し込まれると前記保護ケース４の取り外しが可能になる取り外し位置としての第２の係合凹部３２２ａ，３２２ｂに移動するように構成されているため、簡素な構成で、通常時には、ＩＣタグシール６を外的な衝撃等から保護ケース４によって適切に保護するとともに、前記保護ケースが押し込まれて前記ＩＣタグシール６が切断された時には、不正行為が行われた可能性があることを的確に把握できるという効果を奏する。
【００５９】
また、例えばＩＣタグシールのアンテナ部を１箇所のみ切断した後に切断面を綺麗に元に戻された場合など、アンテナ部の切断した箇所が接触することもありＩＣチップとアンテナ部とによる通信機能がなおも一時的に有効に働く場合があるが、本第１実施例の制御基板ケースは、前記ＩＣタグシール切断手段７刃部７０が、ＩＣタグシール６の識別情報等を記憶するメモリーを備えたＩＣチップ６３を確実に切断、破壊するとともに、保護ケース４の抜き取り動作に伴い、ＩＣタグシール６のその他の部分（アンテナ部を含む）も剥ぎ取るように切断するため、ＩＣタグシール６の通信機能を確実に抹消するとともに、切断面を綺麗に戻すことも不可能にするという効果を奏する。
【００６０】
さらに、本第１実施例の制御基板ケースは、前記主制御基板ケース３が、互いに分離可能な前面ケース３０と後面ケース３１とによって構成されているため、当該主制御基板ケース３を開放して改竄の対象たる主制御基板５にアクセスするためには、前記前面ケース３０と後面ケース３１とに跨るように貼り付けられたＩＣタグシール６の取り外しが必要なところ、このＩＣタグシール６にアクセスするためには、当該ＩＣタグシール６を保護する前記保護ケース４を押し込むことによる取り外しが必須となり、不正行為者が、当該保護ケース４を取り外すために押しまれると、確実に前記ＩＣタグシール切断手段７が前記ＩＣタグシール６を切断、破壊するため、不正行為の痕跡を確実に残すことができるという効果を奏する。
【００６１】
また、本第１実施例の制御基板ケースは、ＩＣタグシール貼付部３０２，３１２のＩＣタグシール切断手段７の刃部７０に対応する位置に切断手段用凹部３０４を形成し、ＩＣタグシール６を切断した後の前記刃部７０の逃げの空間を確保したので、前記ＩＣタグシール切断手段７による前記ＩＣタグシール６の切断をより確実に実現できるという効果を奏する。
【００６２】
さらに、本第１実施例の制御基板ケースは、前記保護ケース４を構成する部材が透光性材料によって構成されているので、保護ケース４内部（例えばＩＣタグシール６や、ＩＣタグシール切断手段７の存在）をあえて外部から把握できるようにして、不正行為者に対して不正行為の痕跡が残ることへの恐怖感を与え、これをもって抑止力とし、不正行為を未然に防止するという効果を奏する。
【００６３】
また、本第１実施例の制御基板ケースは、前記保護ケース４と前記ＩＣタグシール貼付部３０２，３１２の形状を工夫することで、追加部品が無いので少ない部品数で不正行為の検知を実現するものであるため、省スペース、低コストを実現するという効果を奏する。
【実施例２】
【００６４】
本第２実施例の制御基板ケースは、図１３ないし図２０に示すように、保護ケース４が可動部たるＰＵＳＨ部４１と固定部たるベース部材４２とから構成される点、ＩＣタグシール切断手段７の刃部が２つ配設される点、さらに、ＩＣタグシール貼付部３０２，３１２に切断手段用凹部が２つ配設される点が
上述の第１実施例との主な相違点であり、以下相違点を中心に説明する。
【００６５】
本第２実施例の制御基板ケースは、図１３ないし図２０に示すように、前記保護ケース４が、固定部たるベース部材４２に対して可動自在に支持され押し込み可能な可動部としてのＰＵＳＨ部４１と、当該ＰＵＳＨ部４１が押し込まれることにより前記保護ケース４の係合爪部４２２ａ，４２２ｂと前記ＩＣタグシール貼付部３０２，３１２の係合凹部３２０ａ，３２０ｂとの係合状態を解除する係合解除機構とを備え、前記ＩＣタグシール切断手段７が、前記ＰＵＳＨ部４１の内面に前記ＩＣタグシール貼付部３０２，３１２の先端部に対向して配設されるものである。
【００６６】
図１３は、前記ＩＣタグシール貼付部３０２，３１２を詳細に説明する斜視図である。
前記ＩＣタグシール貼付部３０２は、前記前面ケース３０の左側面たる前面ケース側面３０３の一部に突設され、先端面３０２ａ、傾斜面３０２ｂ、垂直面３０２ｃおよび側面３０２ｄによって構成されている。当該先端面３０２ａには、後述するＩＣタグシール切断手段７の刃部７０ａの侵入を許容する、長尺矩形形状の切断手段用凹部３０４が形成されている。
【００６７】
同様に前記ＩＣタグシール貼付部３１２は、前記後面ケース３１の左側面たる後面ケース側面３１３の一部に突設され、先端面３１２ａ、傾斜面３１２ｂ、垂直面３１２ｃおよび側面３１２ｄによって構成されている。当該先端面３１２ａには、後述するＩＣタグシール切断手段７のもう一つの刃部７０ｂの侵入を許容する、長尺矩形形状の切断手段用凹部３１４が形成されている。
【００６８】
ＩＣタグシール６は、図１４に示すように、前記前面ケース３０のＩＣタグシール貼付部３０２と前記後面ケース３１のＩＣタグシール貼付部３１２とに跨るように貼り付けられる。すなわち、ＩＣタグシール６の短辺の断面が、略コの字状になるようにＩＣタグシール貼付部３０２，３１２に貼り付けられるものである。また、ＩＣタグシール貼付部３０２，３１２の先端面３０２ａ、３１２ａに凹設された前記切断手段用凹部３０４，３１４は、貼り付けられたＩＣタグシール６によって全体が隠れるようになっている。
【００６９】
次に、本第２実施例の保護ケース４の具体的構成について図１５ないし図１７を用いて説明する。
【００７０】
図１５は、保護ケース４を前記ＩＣタグシール貼付部３０２，３１２に装着した状態を示す斜視図、図１６は、保護ケース４の具体的構成を説明するための分解斜視図、図１７は、図１５中のＡ−Ａ線に沿った断面を示す断面図である。
【００７１】
図１５に示すように、ＩＣタグシール貼付部３０２，３１２に装着された保護ケース４は、大きく分けて、他の部分に対して押し込み可能に構成された可動部たるＰＵＳＨ部４１と、当該ＰＵＳＨ部４１を押し込み自在に支持する固定部たるベース部材４２とから構成される。また、これらのＰＵＳＨ部４１およびベース部材４２は、ともに透光性材料によって構成されている。
【００７２】
図１６に示すように、前記ＰＵＳＨ部４１は、外面に「ＰＵＳＨ」と記され、自身が押し込まれる際に押されるプレート４１０と、当該プレート４１０の長手方向両端部の中央から垂直方向に突設された係合解除バー４１１ａ、４１１ｂとからなり、ＩＣタグシール切断手段７の２つの刃部７０ａ、７０ｂが、前記プレート４１０の内面（保護ケースの内側）の長手方向に亘って平行に並んで延在する。
【００７３】
一方、前記ベース部材４２は、前記ＩＣタグシール貼付部３０２，３１２の四方を取り囲むように包囲する包囲部材４２０と、当該包囲部材の左側面４２０ａおよび右側面４２０ｂに切り欠きを入れて拡開可能とした拡開片４２１ａ，４２１ｂと、前記包囲部材４２０の内壁の四隅に一端が段部に係止され、前記ＰＵＳＨ部４１の四隅に他端が係止されたバネ４３ａ，４３ｂ，４３ｃ，４３ｄによって弾性的に支持するバネ支持部４２４ａ，４２４ｂ，４２４ｃ，４２４ｄとから構成される。
【００７４】
前記拡開片４２１ａ、４２１ｂは、前記包囲部材４２０の左側面４２０ａおよび右側面４２０ｂの下端から上端までの一部を残すように切り欠きを入れて作成し、所定の力が加わった際に一定の範囲で拡開可能に構成されている。
【００７５】
また前記拡開片４２１ａ、４２１ｂの内面（保護ケースの内側）には、図１７に示すように、前記ＩＣタグシール貼付部３０２，３１２に凹設された係合凹部３２０ａ，３２０ｂと係合する係合爪部４２２ａ，４２２ｂと、当該係合爪部４２２ａ，４２２ｂと一定の間隔を隔てて突設された係合解除部４２３ａ，４２３ｂとが配設されている。
【００７６】
前記係合爪部４２２ａ，４２２ｂは、テーパー４２２０ａ，４２２０ｂを有し、一方、前記係合解除部４２３ａ，４２３ｂは、前記係合爪部のテーパー４２２０ａ，４２２０ｂとは逆向きの傾斜面で構成される係合解除テーパー４２３０ａ，４２３０ｂを有する。
【００７７】
前記バネ４３ａ，４３ｂ，４３ｃ，４３ｄによって弾性的に支持されたプレート４１０は、自由状態では前記包囲部材４２０の頂面と同じ高さに位置するようにバネの長さが調整されており、当該自由状態からバネの付勢力に抗して保護ケース内方に押し込み可能に前記包囲部材４２０に介挿されている。
【００７８】
以下上記構成より成る本第２実施例の制御基板ケースの作用および効果について説明する。
【００７９】
上記構成より成る本第２実施例の制御基板ケースにおいて、前記保護ケース４が前記ＩＣタグシール貼付部３０２，３１２に装着するために押し込まれると、図１８（Ａ）ないし（Ｃ）に示すように、保護ケース４の係合爪部４２２ａ，４２２ｂの前記テーパー４２２０ａ，４２２０ｂと前記ＩＣタグシール貼付部３０２，３１２の傾斜面３０２ａ，３１２ｂとが接触し、前記拡開片４２１ａ，４２１ｂが外方へ拡開する。これにより、保護ケース４がＩＣタグシール貼付部３０２，３１２に対してさらに押し込まれることが可能となり、拡開された拡開片４２１ａ，４２１ｂの前記係合爪部４２２ａ，４２２ｂが、ＩＣタグシール貼付部３０２，３１２の前記係合凹部３２０ａ，３２０ｂに到達するまで保護ケース４を押し込む。前記係合爪部４２２ａ，４２２ｂが前記係合凹部３２０ａ，３２２ｂに到達すると、当該凹部内に侵入して前記拡開片４２１ａ，４２１ｂが拡開状態から自然状態に戻り、係合状態となって保護ケース４の装着が完了する。
【００８０】
次に、保護ケース４が取り外される際の動作について図１９を用いて説明する。
図１９（Ａ）に示す保護ケース４の装着状態から、図１９（Ｂ）に示すように前記保護ケース４の外面に「ＰＵＳＨ」と記された前記ＰＵＳＨ部４１のプレート４１０が押されると、当該プレート４１０の四隅を弾性的に支持するバネ４３ａ，４３ｂ，４３ｃ，４３ｄの付勢力に抗してプレート４１０が前記包囲部材４２０に対して内部に押し込まれる。当該プレート４１０の内面には、係合解除バー４１１ａ，４１１ｂが突設されているため、当該プレート４１０の移動に伴い、前記係合解除バー４１１ａ，４１１ｂがともに内部に押し込まれる。すると、当該係合解除バー４１１ａ，４１１ｂの先端部が前記拡開片４２１ａ，４２１ｂの係合解除テーパー４２３０ａ，４２３０ｂと当接し、さらに押し込むと前記係合解除バー４１１ａ，４１１ｂが前記係合解除テーパー４２３０ａ，４２３０ｂの傾斜面を押すため、拡開片４２１ａ，４２１ｂが外方に拡開する。
【００８１】
これにより、図１９（Ｂ）および（Ｃ）に示すように、前記拡開片４２１ａ、４２１ｂの係合爪部４２２ａ、４２２ｂが前記ＩＣタグシール貼付部３０２，３１２の係合凹部３２０ａ，３２０ｂから離脱して、その係合状態が解除され、保護ケース４の抜き取りが可能となる。したがって、保護ケース４を完全に抜き終わるまで、前記プレート４１０を前記包囲部材４２０に対して押し込んだ状態を維持したまま保護ケース４の抜き取りを行うものである。
【００８２】
なお図１９（Ｂ）および図２０に示すように、前記プレート４１０が押し込まれた際に、当該プレート４１０の内面に配設された前記ＩＣタグシール切断手段７の２つの刃部７０ａ，７０ｂが、ＩＣタグシール６を切断、貫通し、前記ＩＣタグシール貼付部３０２，３１２の切断手段用凹部３０４，３１４まで侵入する。このとき、前記２つの刃部７０ａ，７０ｂは、前記ＩＣタグシール貼付部３０２の前記アンテナ部６２のＩＣチップ６３を挟んで対角線上に対向する２つの切断部位６２ａ，６２ｂを確実に切断する。
【００８３】
上記作用を奏する本第２実施例の制御基板ケースは、不正行為者によって固定部たる前記包囲部材４２０に対して可動自在に支持され押し込み可能な可動部たるＰＵＳＨ部４１が押し込まれると、それに連動して前記係止解除機構が、前記保護ケース４の拡開片４２１ａ，４２１ｂと前記ＩＣタグシール貼付部３０２，３１２の係合凹部３２０ａ，３２０ｂとの係止状態を解除して、この際前記ＰＵＳＨ部４１の内面に前記ＩＣタグシール貼付部３０２，３１２の先端部に対向して配設されたＩＣタグシール切断手段７の刃部７０ａ，７０ｂがＩＣタグシール６を切断するので、ＲＯＭの交換などの制御基板に対する不正をする目的で、制御基板ケースを開放しようとして保護ケースを取り外す行為を確実に検知するという効果を奏する。
【００８４】
また、上述したようにＩＣタグシールを１箇所のみ切断した後に切断面を綺麗に元に戻された場合など、アンテナ部の有効範囲が充分に残存することに伴いＩＣチップとアンテナ部とによる通信機能がなおも有効に働く場合があるが、本第２実施例のパチンコ遊技機１は、前記ＩＣタグシール切断手段７が２つの刃部７０ａ，７０ｂを備え、前記ＩＣタグシール６のアンテナ部６２の２箇所を切断して、前記ＩＣタグシール６のアンテナ部６２の有効範囲をリーダー・ライターとの通信機能が働かなくなる範囲まで切断するため、上記のような問題を解消し、前記ＩＣチップ６３とアンテナ部６２とによる通信機能を確実に抹消して、検査時にＩＣタグシールの切断事実の有無を確実に検知し、制御基板の改竄等の不正行為を的確に把握できるという効果を奏する。
【００８５】
さらに、本第２実施例の制御基板ケースは、前記主制御基板ケース３が、互いに分離可能な前面ケース３０と後面ケース３１とによって構成されているため、改竄の対象たる主制御基板５にアクセスするためには、前記前面ケース３０と後面ケース３１とに跨るように取り付けられた保護ケース４の取り外しが必須となるところ、不正行為者が、保護ケース４を取り外そうとして可動部たる前記ＰＵＳＨ部４１を押し込んだ際には、前記ＩＣタグシール切断手段７が必ず前記ＩＣタグシール６を切断するため、不正行為の痕跡を確実に残すことができるという効果を奏する。
【００８６】
また、本第２実施例の制御基板ケースは、ＩＣタグシール貼付部３０２，３１２のＩＣタグシール切断手段７の２つの刃部７０ａ，７０ｂに対応する位置に切断手段用凹部３０４，３１４を形成し、ＩＣタグシール６を切断した後の前記刃部７０ａ，７０ｂの逃げの空間を確保したので、前記ＩＣタグシール切断手段７による前記ＩＣタグシール６の切断をより確実に実現できるという効果を奏する。
【００８７】
さらに、本第２実施例の制御基板ケースは、前記保護ケース４を構成する前記ＰＵＳＨ部４１およびベース部材４２等が透光性材料によって構成されているので、保護ケース４内部（例えばＩＣタグシール６やＩＣタグシール切断手段７の存在、さらには係合状態および係合解除機構）をあえて外部から把握できるようにして、不正行為者に対して不正行為の痕跡が残ることへの不安感を与え、これが抑止力となり、不正行為を未然に防止するという効果を奏する。
【００８８】
また本第２実施例の制御基板ケースにおいては、前記ＰＵＳＨ部４１の係合解除バー４１１ａ，４１１ｂは、前記ＩＣタグシール切断手段７と前記プレート４１０を介して一体的に連動するが、当該係合解除バー４１１ａ，４１１ｂと前記包囲部材４２０の拡開片４２１ａ，４２１ｂとが独立した部材によって構成されているため、保護ケース４を取り付ける際には前記拡開片４２１ａ，４２１ｂのみが自由に動くだけでＩＣタグシール６が切断されることはないが、保護ケース４を取り外そうとした際はその取り外し動作に連動して確実にＩＣタグシール６を切断して、保護ケース４を取り外そうとする不正行為発生時にのみＩＣタグシール６を切断するため、何も不正行為が起こっていない場合や、不正行為を行うために遊技盤の裏まで確認しつつも、保護ケース４を取り外す前に断念した場合など、重大な不正行為（主制御基板ケース３の開放、主制御基板５の改竄等）が行われなかった場合には、正常状態を保ち、保護ケース４の取り外しが行われる重大な不正行為の発生のみを正確に検知できるという効果を奏する。
【実施例３】
【００８９】
本第３実施例の制御基板ケースは、図２１ないし図２４に示すように、前記拡開片４２１ａ，４２１ｂに直接アクセスできないよう外部カバー部を設ける点と、拡開片４２１ａ，４２１ｂの拡開動作を滑らかにするために当該拡開片４２１ａ，４２１ｂをバネ材を介して前記包囲部材４２０に配設する点、さらに、保護ケース４の構成部材を非透光性材料によって構成する点が、上述の第２実施例との主な相違点であり、以下相違点を中心に説明する。
【００９０】
図２１および図２２に示すように、本第３実施例の制御基板ケースは、上記第２実施例のパチンコ遊技機と基本的構成を同じくして、前記拡開片４２１ａ，４２１ｂを包囲すべく、不透明な非透光性材料を射出成形して一体成形した遮蔽カバー４５ａ，４５ｂが付設される構成より成るものである。
【００９１】
具体的には、前記拡開片４２１ａ、４２１ｂは、前記包囲部材４２０の略コの字状の形状をした左側面４２０ａおよび右側面４２０ｂの空隙部にそれぞれ配設され、拡開支持端に配設され、前記拡開片４２１ａ，４２１ｂの拡開を許容する連結変形バネ４４ａ，４４ｂによって当該左側面４２０ａおよび右側面４２０ｂに固定されるとともに、保護ケース外方への拡開が規制されている。当該連結変形バネ４４ａ，４４ｂは、板バネによって構成されており、弾性変形することによって前記拡開片４２１ａ，４２１ｂと前記左側面４２０ａ、４２０ｂとのヒンジ部としても実質的に機能するものである。
【００９２】
また、本第３実施例の制御基板ケースは、前記拡開片４２１ａ，４２１ｂ等の構造を外部から視認できないよう遮蔽する遮蔽カバー４５ａ，４５ｂを備え、前記包囲部材４２０の両端部にそれぞれ接続される。
【００９３】
さらに、本第３実施例の制御基板ケースは、前記遮蔽カバー４５ａ，４５ｂのみならず、前記包囲部材４２０や前記プレート４１０等、保護ケースを構成する部材を非透光性材料に構成するものである。
【００９４】
以下上記構成より成る本第３実施例の制御基板ケースの作用および効果について説明する。
【００９５】
上記構成より成る本第３実施例の制御基板ケースにおいて、前記保護ケース４を前記ＩＣタグシール貼付部３０２，３１２に装着しようとすると、図２３（Ａ）ないし（Ｃ）に示すように、第２実施例同様、保護ケース４の係合爪部４２２ａ，４２２ｂの前記テーパー４２２０ａ，４２２０ｂと前記ＩＣタグシール貼付部３０２，３１２の傾斜面３０２ａ，３１２ｂとが接触し、前記拡開片４２１ａ，４２１ｂを前記連結変形バネ４４ａ，４４ｂの規制力に抗って外方へ拡開させる。これにより、保護ケース４をＩＣタグシール貼付部３０２，３１２に対してさらに押し込むことが可能となり、前記拡開片４２１ａ、４２１ｂの拡開状態を保ったままさらに押し込まれる。当該拡開片４２１ａ，４２１ｂの前記係合爪部４２２ａ，４２２ｂがＩＣタグシール貼付部３０２，３１２の前記係合凹部３２０ａ，３２０ｂにまで到達し、前記連結変形バネ４４ａ，４４ｂの規制力によって前記係合凹部３２０ａ，３２０ｂに係合することで、保護ケース４の装着が完了する。
【００９６】
なお、前記拡開片４２１ａ，４２１ｂの拡開動作の障害とならぬよう、当該拡開片４２１ａ、４２１ｂと前記遮蔽カバー４５ａ，４５ｂ内壁との距離ｄを適正な距離に設定するものである。
【００９７】
保護ケース４が取り外される際の動作は、図２４に示すように、基本的に第２実施例と同様であり、前記プレート４１０を押し込んだ際に、前記係合爪部４２２ａ，４２２ｂの係合が解除されるとともに、ＩＣタグシール切断手段７によってＩＣタグシール６が切断されるものである。
【００９８】
なお本第３実施例の制御基板ケースにおいては、前記遮蔽カバー４５ａ，４５ｂをはじめとする保護ケース４を構成する部材が、上述したように、非透光性材料によって一体成形されているため、保護ケース４を取り外す際に当該保護ケース４内部がどのような構造になっているのか外部から把握することができない。
【００９９】
上記作用を奏する本第３実施例の制御基板ケースは、第２実施例と基本的構成を同じくするので、通常時には、ＩＣタグシール６を外部との直接的接触から保護ケース４によって適切に保護するとともに、不正行為を行うために保護ケースが押し込まれる時には、外部から直接前記拡開片４２１ａ，４２１ｂにアクセスすることを回避するとともに、主制御基板５の改竄等の不正行為が行われた可能性があることを適確に把握できるという効果を奏する。
【０１００】
また本第３実施例の制御基板ケースは、前記拡開片４２１ａ，４２１ｂの周辺機構を遮蔽カバー４５ａ，４５ｂによって覆い隠し、外部から視認できないようにするとともに、直接アクセスすることができないように構成したので、当該拡開片４２１ａ，４２１ｂを外部から直接こじ開ける等して、不正行為検知機能を滅殺するような行為にも対応することができるという効果を奏する。
【０１０１】
さらに、本第３実施例の制御基板ケースは、前記遮蔽カバー４５ａ，４５ｂをはじめとする保護ケース４を構成する部材を非透光性材料によって構成したので、外部から保護ケース４内部の構造が把握できないとともに、それゆえに油断して不用意に当該保護ケース４を外した不正行為者に対して、ＩＣタグシールの切断により不正行為の痕跡が残ったことを認識させるので、その後の重大な不正行為（制御基板ケースの開放および制御基板の改竄等）を抑制するという効果を奏する。
【実施例４】
【０１０２】
本第４実施例の制御基板ケースは、図２５ないし図２８に示すように、保護ケース４の係合部を反転機構によって構成する点が、上述の実施例との主な相違点であり、以下相違点を中心に説明する。
【０１０３】
図２１および図２２に示すように、本第４実施例の制御基板ケースは、保護ケース４が、当該保護ケース４の係合爪部４２２ａ，４２２ｂを備えた反転部材４６ａ，４６ｂが凸状態の時に前記ＩＣタグシール貼付部３０２，３１２の係合凹部３２０ａ，３２０ｂに係止され、一方前記保護ケース４を前記係止位置から押し込むことにより前記反転部材４６ａ，４６ｂが反転して凹状態となり係合が解除される係合解除機構を備え、前記ＩＣタグシール切断手段７が、前記保護ケース４の内面に前記ＩＣタグシール貼付部３０２，３１２の先端部に対向して配設されるものである。
【０１０４】
図２５に示すように、保護ケース４は、大きく非透光性材料によって構成される左側面４０ａ，右側面４０ｂ，先端面４０ｃ、手前面４０ｄおよび奥面４０ｅによって構成され、ＩＣタグシール貼付部３０２，３１２を覆うように取り付けられる。また、前記左側面４０ａおよび右側面４０ｂの略中央部には、後述する反転部材４６ａ，４６ｂを復帰させるための復帰部材４７ａ，４７ｂが貫挿されている。
【０１０５】
また図２６に示すように、保護ケース４の前記左側面４０ａおよび右側面４０ｂの内面には、前記反転部材４６ａ，４６ｂを介挿するための反転部材用凹部４８ａ，４８ｂが凹設され、当該反転部材用凹部４８ａ，４８ｂ端部に配設された反転部材支持部４９ａ，４９ｂによって反転部材４６ａ，４６ｂが把持される。
【０１０６】
当該反転部材４６ａ，４６ｂは、それぞれ例えばステンレス等の薄板を折り曲げて形成したバネ材より成る板バネによって構成され、長手方向略中央部に保護ケース４内方に向かって突出した略Ｖ字状の係合爪部４２２ａ，４２２ｂを備える。当該係合爪部４２２ａ，４２２ｂには、係合凹部３２０ａ，３２０ｂと平行な垂直面と傾斜面によって構成されるテーパー４２２０ａ，４２２０ｂとが形成されている。
【０１０７】
また前記反転部材４６ａ，４６ｂは、当該係合爪部４２２ａ，４２２ｂが図２６中左右方向に一定以上の力が作用して一定量の変位を越える変位が生ずるとそれぞれ反転して凸状態と凹状態の切り替えが可能なように構成されている。例えば、前記係合爪部４２２ａ，４２２ｂが後述するＩＣタグシール貼付部３０２，３１２の係合凹部３２０ａ，３２０ｂと係合する凸状態から反転して凹状態に切り替わった場合には、保護ケース４の外面の前記左側面４０ａおよび右側面４０ｂに貫挿された前記復帰部材４７ａ，４７ｂを保護ケース４の内方に向かって押すことによって再度凸状態へと反転させて復帰させることができる。なお、このように外力を加えない限り、当該反転部材４６ａ，４６ｂは、自身の現在の形状である凸状態または凹状態を維持するよう構成されている。
【０１０８】
また、保護ケース４の先端面４０ｃの内面には、第２実施例および第３実施例同様に２つの刃部７０ａ，７０ｂを備えたＩＣタグシール切断手段７が延在するように突出形成されている。
【０１０９】
一方、ＩＣタグシール貼付部３０２，３１２の左側面３２４ａおよび右側面３２４ｂは、第１の垂直面３２４ａ１，３２４ｂ１と、前記保護ケース４の係合爪部４２２ａ，４２２ｂと係合する係合凹部３２０ａ，３２０ｂと、傾斜面３２４ａ２，３２４ｂ２と、第２の垂直面３２４ａ３，３２４ｂ３によって構成されている。
【０１１０】
また、ＩＣタグシール貼付部３０２，３１２の先端面３２４ｃには、第２実施例および第３実施例同様、前記２つの刃部７０ａ，７０ｂに対応する位置に切断手段用凹部３０４，３１４が形成され、当該切断手段用凹部３０４，３１４を覆い隠すようにＩＣタグシール貼付部３０２，３１２に跨ってＩＣタグシール６が貼り付けられる。
【０１１１】
また、ＩＣタグシール貼付部３０２，３１２の基端部には、その四方を取り囲むように凹設され、前記保護ケース４の底面４０ｆの進入を許容するための保護ケース用凹部３００が周設されている。当該保護ケース用凹部３００には、前記保護ケース４の底面４０ｆを当接支持する支持プレート３００Ｂと、当該支持プレート３００Ｂを弾性的に支持する支持バネ３００Ｓが介挿されている。
【０１１２】
以下上記構成より成る本第４実施例の制御基板ケースの作用および効果について説明する。
【０１１３】
上記構成より成る本第４実施例の制御基板ケースにおいて、前記保護ケース４を前記ＩＣタグシール貼付部３０２，３１２に装着しようとすると、図２７（Ａ）ないし（Ｃ）に示すように、保護ケース４の係合爪部４２２ａ，４２２ｂの前記テーパー４２２０ａ，４２２０ｂと前記ＩＣタグシール貼付部３０２，３１２の両側面の第１の垂直面３２４ａ１，３２４ｂ１とが接触し、板バネによって構成される前記支持部材４６ａ，４６ｂの凸状態を維持しようとする力に抗い、前記係合爪部４２２ａ，４２２ｂが外方へ向かって付勢される。これにより、図２７（Ｂ）に示すように保護ケース４をＩＣタグシール貼付部３０２，３１２に対してさらに押し込むことが可能となり、前記支持部材４６ａ，４６ｂは、前記係合爪部４２２ａ，４２２ｂを少しだけ外方に押しやられながら、しかし凸状態は維持したままで前記ＩＣタグシール貼付部３０２，３１２の係合凹部３２０ａ，３２０ｂへと移動する。
【０１１４】
図２７（Ｃ）に示すように、前記係合爪部４２２ａ，４２２ｂがＩＣタグシール貼付部３０２，３１２の前記係合凹部３２０ａ，３２０ｂにまで到達すると、支持部材４６ａ，４６ｂを構成する板バネの付勢力によって、前記係合爪部４２２ａ，４２２ｂと前記係合凹部３２０ａ，３２０ｂとが係合し、保護ケース４の装着が完了する。なお、この際保護ケース４の前記底面４０ｆが、前記支持プレート３００Ｂによって当接支持される。
【０１１５】
保護ケース４が取り外される際の動作は、図２８（Ａ）ないし（Ｃ）に示すように、前記保護ケース４の先端面４０ｃがさらに押し込まれた際に、前記係合爪部４２２ａ，４２２ｂの前記テーパー４２２０ａ，４２２０ｂが、ＩＣタグシール貼付部３０２，３１２の傾斜面３２４ａ２，３２４ｂ２と当接し、保護ケース４が押し込まれるに従って前記係合爪部４２２ａ，４２２ｂが外方に向かって徐々に押されて変位され、前記係合爪部４２２ａ，４２２ｂがＩＣタグシール貼付部３０２，３１２の第２の垂直面３２４ａ３，３２４ｂ３に差し掛かるまでに、変位量が一定量を越えると前記反転部材４６ａ，４６ｂが凹状態へと反転する。
【０１１６】
これにより保護ケース４とＩＣタグシール貼付部３０２，３１２との係合状態が解除されるとともに、前記反転部材４６ａ，４６ｂの凹状態が維持されるため、保護ケース４をＩＣタグシール貼付部３０２，３１２から取り外すことが可能となる。なお、この際ＩＣタグシール切断手段７の２つの刃部７０ａ，７０ｂによってＩＣタグシール６が切断されるものである。
【０１１７】
上記作用を奏する本第４実施例の制御基板ケースは、上述した実施例と同様、保護ケース４とその内部にＩＣタグシール切断手段７を備えるため、前記保護ケース４を一旦取り付けた後は、当該保護ケース４によってＩＣタグシール６を適切に保護するとともに、不正行為者が主制御基板５にアクセスしようとして、その前提として前記保護ケース４を取り外す行為が行われたことを確実に検知するという効果を奏する。
【０１１８】
また本第４実施例の制御基板ケースは、保護ケース４に反転部材を付設するだけで良いので、前記反転部材の反転状態から保護ケースを取り外す行為があったことを確実に把握でき、部品点数を減らして、コストダウンを可能にするとともに、係合解除機構を構成する前記反転部材４６ａ，４６ｂに金属を採用しているため、耐久性に優れているという効果を奏する。
【０１１９】
さらに、本第４実施例の制御基板ケースは、前記第３実施例同様、前記保護ケース４を構成する部材を非透光性材料によって構成したので、外部から保護ケース４内部の構造を悟られることがないとともに、それゆえに油断して当該保護ケース４を外した不正行為者に対して、不正行為の痕跡（ＩＣタグシールの切断）が残ったことを認識させ、その後の重大な不正行為（制御基板ケースの開放および制御基板の改竄等）を防止するという効果を奏する。
【０１２０】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１２１】
上述の第１実施例においては、ＩＣタグシール貼付部のガイド溝３２３ａａの深さをガイド溝３２３ａより深くする例について説明したが、本発明はそれに限定されるものではなく、ガイド溝３２３ａａの深さをガイド溝３２３ａより浅くするか、または徐々に浅くなるように傾斜溝として、保護ケース４が押し込まれると拡開片４２１ａ，４２１ｂの根元が折損するようにして、目視でも保護ケース４が取り外されたことを確認できるようにする実施形態も採用可能である。
【０１２２】
例えば上述した実施例において、ＩＣタグをシールに実装させたＩＣタグシールを用いる例について説明したが、本発明はこれらに限定されるものではなく、趣旨を逸脱しない範囲で、インレット単体を配設したり、ＩＣカードを実装させる態様にも適用可能である。さらに、パッシブ型のＩＣタグに限らず、セミパッシブやアクティブ型のＩＣタグの採用も可能である。
【０１２３】
また、ＩＣタグシールの切断箇所として、ＩＣチップを直接切断および破壊する場合や、ＩＣチップの両側に延在するアンテナ部の２箇所を切断する例について説明したが、本発明はこれらに限定されるものではなく、その他のＩＣタグシールの１箇所のみを切断する場合や３箇所以上を切断する場合、さらには、ＩＣチップの両側に延在する前記アンテナ部のうち片側のアンテナ部のみを切断する態様にも適用可能である。
【０１２４】
さらに、ＩＣタグシール切断手段として、例えば、刃部の形状をギザギザにしたり、刃部の材質を工夫してわざと切断面を粗くするような刃部を採用することで、一旦切断されたＩＣタグシールを綺麗に戻しにくくして、保護ケースの開放事実を確実に検知する態様にも適用可能である。また、ＩＣタグシールの切断の態様として、直線上に延在する刃部で直線上にＩＣタグシールを切断する例について説明したが、例えば、針状の刃部でＩＣチップを貫通する態様や、円形の刃部やジグザグ状に構成された刃部を用いることで、その他の切断態様でＩＣタグシールを切断する例にも適用可能である。
【０１２５】
また、上述の実施例において、切断手段用凹部の全体がＩＣタグシールによって覆い隠される例について説明したが、本発明はこれらに限定されるものではなく、切断手段用凹部の一部をＩＣタグシールからはみ出る構成として、ＩＣタグシールの長さよりも長い刃部と切断手段用凹部を用いることで、ＩＣタグシールを確実に破断させる態様にも適用可能である。
【０１２６】
上述の第２実施例および第３実施例において、前記プレート４１０の四隅を前記４３ａ，４３ｂ，４３ｃ，４３ｄを単純に弾性的に支持する例について説明したが、本発明はこれらに限定されるものではなく、図２９に示すように、保護ケース４の前記包囲部材４２０内部に把持機構４０００を設けて、前記プレート４１０の内面に突設された前記係合解除バー４１１ａ，４１１ｂの先端の位置決め機構としての径大部４１１０ａが介挿される中空筒状部４０００ａの肩部４０００ｂによって係止して、前記係合解除バー４１１ａ，４１１ｂの長さを調整することによって前記プレート４１０と包囲部材４２０の端面とが面一となり、外方への飛び出しを規制する態様にも適用可能である。なおこの態様において、前記係合解除バー４１１ａ，４１１ｂは、前記プレート４１０と前記把持機構４０００の間に配設されたバネ４３０ａ，４３０ｂに介挿されるものである。
【０１２７】
前記第２実施例においては、プレート４１０を押し込みながら前記保護ケース４を取り外す例について説明したが、本発明はそれに限定されるものではなく、プレート４１０が押し込まれたら拡開片を拡開状態に保持する保持機構を用いて、取り外しが容易になる実施態様も採用可能である。
【０１２８】
上述の第３実施例において、拡開片や遮蔽カバーを全て不透明の非透光性材料によって構成する例について説明したが、本発明はこれに限定されるものではなく、保護ケースを構成する部材のうち、例えば、２色成形によって遮蔽カバーのみ非透光性材料によって構成し、その他を透光性材料によって構成するといった、目的に応じて選択的に非透光性材料および透光性材料を使い分ける態様にも適用可能である。
【０１２９】
前記第３実施例においては、前記拡開片４２１ａ，４２１ｂをバネ材を介して弾性的に係止する例について説明したが、本発明はそれに限定されるものではなく、前記バネ材を用いることなく第２実施例と同様前記拡開片を保護ケースに一体成形する態様も採用可能であり、そうすれば部品点数を増やすことなく安価に製造可能となる。
【０１３０】
さらに、拡開片の拡開を板バネによって構成される連結変形バネによって規制する例について説明したが、本発明はこれらに限定されるものではなく、当該連結変形バネをねじりコイルバネ等のその他の弾性手段によって構成する態様にも適用可能である。同様に、上述した第４実施例において、反転部材をバネ材より成る板バネによって構成する例について説明したが、その他の弾性手段やその他の反転機構を用いる態様にも適用可能である。
【０１３１】
また、上述の実施例において、前面ケースと後面ケースによって構成される制御基板ケースについて説明したが、本発明はこれらに限定されるものではなく、制御基板ケースの構成が如何なるものであっても、内部に格納された制御基板にアクセスするために開放される境界部位に跨るようにＩＣタグシールを貼り付けるその他の態様にも適用可能である。
【０１３２】
さらに上述の実施例において、本発明を適用する制御基板ケースとして、もっとも改竄の対象とされやすい主制御基板を格納する主制御基板ケースについて説明したが、本発明はこれらに限定されるものではなく、例えば、音声制御基板や図柄制御基板等のその他の制御基板ケースに採用する態様にも適用可能である。
【産業上の利用可能性】
【０１３３】
内部に制御基板が格納される制御基板ケースであって、ＩＣタグシール貼付部がそれぞれに形成され、互いに分離可能な複数のケース体と、前記ＩＣタグシール貼付部間を跨ぐように張り付けられ、ＩＣチップとアンテナとを備えるＩＣタグシールと、前記ＩＣタグシール貼付部の係止位置に形成された被係止部に係止部が係止され、当該ＩＣタグシール貼付部を包囲して前記ＩＣタグシールを保護する保護ケースと、前記保護ケース内の一部に配設され、前記保護ケースを取り外す際に前記ＩＣタグシールを切断するＩＣタグシール切断手段とを備え、前記ＩＣタグシール切断手段が、前記保護ケースを取り外すために前記ＩＣタグシール貼付部の前記係止位置に対して前記保護ケースが押し込まれた際に前記ＩＣタグシールの少なくとも一部を切断するように構成され、通常時には、ＩＣタグシールを外的な衝撃等から適切に保護するとともに、不正行為が行われた時には、制御基板の改竄等の不正行為を容易かつ的確に把握するという用途に適用できる。
【符号の説明】
【０１３４】
１  パチンコ遊技機
３  主制御基板ケース
３０  前面ケース
３０２  ＩＣタグシール貼付部
３１  後面ケース
３１２  ＩＣタグシール貼付部
４  保護ケース
５  主制御基板
６  ＩＣタグシール
７  ＩＣタグシール切断手段
【図１】
2010284443.tif 000003
【図２】
2010284443.tif 000004
【図３】
2010284443.tif 000005
【図４】
2010284443.tif 000006
【図５】
2010284443.tif 000007
【図６】
2010284443.tif 000008
【図７】
2010284443.tif 000009
【図８】
2010284443.tif 000010
【図９】
2010284443.tif 000011
【図１０】
2010284443.tif 000012
【図１１】
2010284443.tif 000013
【図１２】
2010284443.tif 000014
【図１３】
2010284443.tif 000015
【図１４】
2010284443.tif 000016
【図１５】
2010284443.tif 000017
【図１６】
2010284443.tif 000018
【図１７】
2010284443.tif 000019
【図１８】
2010284443.tif 000020
【図１９】
2010284443.tif 000021
【図２０】
2010284443.tif 000022
【図２１】
2010284443.tif 000023
【図２２】
2010284443.tif 000024
【図２３】
2010284443.tif 000025
【図２４】
2010284443.tif 000026
【図２５】
2010284443.tif 000027
【図２６】
2010284443.tif 000028
【図２７】
2010284443.tif 000029
【図２８】
2010284443.tif 000030
【図２９】
2010284443.tif 000031
【図３０】
2010284443.tif 000032
【図３１】
2010284443.tif 000033